(57)【要約】【目的】  収納棚に収納された多数の収納物（被検索物）から所望のものを容易に見付け出すための簡単な構成で安価な表示システムを提供する。【構成】  マット用アンテナ１０を備えたマット１を収納棚５の棚板５１上に載置し、その上に多数のファイル６を、それぞれ表示器用アンテナ２０とメモリ性表示部２１とを備えた表示器２を前面（背表紙の外側）に取り付けて収納する。それによって、各表示器２がマット１に対して垂直方向に配置され、マット用アンテナ１０と表示器用アンテナ２０との間で信号を通信することにより、所望のファイルに取り付けられた表示器２のメモリ性表示部２１だけの表示状態を変化させる。【選択図】        図１
2007047512.tif 000002
【特許請求の範囲】
【請求項１】
マット用アンテナを備えたマットと、表示器用アンテナとメモリ性表示部とを備えた表示器とを有し、
該表示器が前記マットに対して垂直方向に配置され、
前記マット用アンテナと前記表示器用アンテナとの間で信号を通信することを特徴とする表示システム。
【請求項２】
前記マット用アンテナは、前記マットの内部で平面状に配置されたコイルであり、
該コイルは、前記マットに対して垂直方向の面内に磁界を発生し、
前記表示器用アンテナは、前記表示器の内部で平面状に配置されたコイルであり、該コイルが前記マットに対して垂直方向の面内に発生した磁界内に配置されたことを特徴とする請求項１に記載の表示システム。
【請求項３】
前記表示器の前記メモリ性表示部は電気泳動表示素子を用いた表示部材であることを特徴とする請求項１又は２に記載の表示システム。
【請求項４】
前記表示器を駆動するための電力は、前記マットの前記マット用アンテナより電磁誘導によって前記表示器用アンテナを介して供給される請求項１乃至３のいずれか一項に記載の表示システム。
【請求項５】
前記表示器は前記マット上に複数配置されており、
前記マット用アンテナからアドレス情報を含む信号を複数の前記表示器に対して発信し、複数の前記表示器は該信号を受信し、その複数の表示器のうち、受信した信号中の前記アドレス情報のアドレスが自己のアドレスと合致した表示器のみが、自己の前記メモリ性表示部へ表示信号を送るようにしたことを特徴とする請求項１乃至４のいずれか一項に記載の表示システム。
【請求項６】
前記マットを、複数の棚段を有する収納棚における各棚段にそれぞれ配置し、
該各棚段に収納される収納物の前面にそれぞれ前記表示器を配置したことを特徴とする請求項５に記載の表示システム。
【発明の詳細な説明】
【技術分野】
【０００１】
この発明は、平面上に多数立設配置された部材中の所要の部材を表示するのに適した表示システムに関し、特に複数の棚段を有する収納棚の各棚段に収納された多数のファイル、カルテ、書籍、同一あるいは類似形状の部品や商品（販売用又はレンタル用）等の収納物から必要なものを見つけるのに便利な表示システムに関する。
【背景技術】
【０００２】
例えば、資料等のファイル、図書館の書籍、医療用カルテなどのように、略同一形状の部材（収納物）を多数保管する場合は、通常ラックのような収納棚に各収納物を分類したり、番号を付けたりして整理して収納している。そして、その多数の収納物の中から必要な物を探し出したり、使用後にそれを元の収納位置に戻したりする作業は、その分類や番号などを頼りに手作業で行っていた。
【０００３】
しかし、収納物の数が非常に多くなると、このような分類や番号などに頼って必要な収納物を探し出すのは大変になり、時間がかかっていた。また、取り出した物を使用後に戻す位置を間違えると、次に探し出すのが極めて困難になるという問題があった。
そこで、例えば特許文献１に見られるように、医療用カルテのような保管された多数の被検索物（収納物）の中から必要な被検索物を個別に取り出したい時に、簡単にスピーディーに取り出せるようにした被検索物の個別検索装置が提案されている。
【特許文献１】特開平１−９８０６７号公報
【０００４】
この被検索物の個別検索装置は、医療用カルテ等の被検索物を収納する収納棚の各棚段の天板にデジタル信号を発振する発振機を等間隔で多数取り付け、被検索物の側面にそれぞれ、受信機と表示器（発光ダイオード）からなる受信装置を取り付け、各発振機をコンピュータに接続している。
そして、必要な被検索物を棚から取り出したい場合には、コンピュータでその被検索物を選び出し、その固有番地に対応するデジタル信号を各発振機へ送信する。すると、各発振機はそのデジタル信号を受けて、まず上記各受信装置に対して受信予備信号を発振し、その後に上記固有番地に対応するデジタル信号を発振する。
【０００５】
それによって、各被検索物に取り付けられた受信装置の受信機は、いずれかの発振機から上記受信予備信号を受信するとデジタル信号の受信が可能な状態になり、その後に発振機から発振されるデジタル信号による固有番地が記憶されている受信装置の受信機のみが受信応答し、表示器の発光ダイオードを点灯させる。
その点灯によって、必要な被検索物の存在位置を容易に知ることができ、その表示器が点灯している被検索物を取り出せばよい。なお、受信装置における固有番地はディップスイッチによって記憶される。
【０００６】
この装置によれば、被検索物を使用後に棚に戻す位置を間違えても、その被検索物が検索されたときには、その受信装置に記憶されている固有番地と発振機から発振されるデジタル信号による固有番地とが一致し、受信機が受信応答して表示器を点灯させるので、容易にその存在位置を知ることができる。
【発明の開示】
【発明が解決しようとする課題】
【０００７】
しかしながら、このような従来の被検索物の個別検索装置は、被検索物を収納する収納棚の各棚段に等間隔で多数の発振機を設置する必要があるため、装置（システム）が大掛かりで高価であった。また、既存の収納棚を利用して簡単に実施することは困難であった。さらに、各被検索物に取り付ける受信装置は、自己が検索されたときには、その被検索物が取り出されるまで表示器を点灯し続けなければならないため電力消費量が多く、その電源として電池を内蔵している。そのため、電池が消耗すると動作しなくなるので、そのメンテナンス作業が大変であるとともに、受信装置のカード化も困難であった。
【０００８】
この発明は、このような問題を解決するためになされたものであり、収納棚に収納された多数の収納物（被検索物）から所望のものを容易に見付け出すための構成が簡単で安価な表示システムを提供し、既存の収納棚を使用しても容易に実施できるようにすることを目的とする。また、被検索物側に電池を設けなくて済むようにして、電池交換などのメンテナンス作業を不要にするとともに、薄型化やカード化を可能にすることも目的とする。
【課題を解決するための手段】
【０００９】
この発明による表示システムは、上記の目的を達成するため、マット用アンテナを備えたマットと、表示器用アンテナとメモリ性表示部とを備えた表示器とを有し、その表示器がマットに対して垂直方向に配置され、上記マット用アンテナと表示器用アンテナとの間で信号を通信するようにしたものである。
そのマット用アンテナは、上記マットの内部で平面状に配置されたコイルであり、そのコイルは、上記マットに対して垂直方向の面内に磁界を発生し、上記表示器用アンテナは、上記表示器の内部で平面状に配置されたコイルであり、そのコイルが上記マットに対して垂直方向の面内に発生した磁界内に配置されるようにするとよい。
【００１０】
上記表示器のメモリ性表示部は電気泳動表示素子を用いた表示部材であるとよい。
上記表示器を駆動するための電力は、上記マットのマット用アンテナより電磁誘導によって上記表示器用アンテナを介して供給されるようにすることができる。
そして、上記表示器を上記マット上に複数配置し、上記マット用アンテナからアドレス情報を含む信号を複数の表示器に対して発信し、複数の表示器がその信号を受信し、その複数の表示器のうち、その受信した信号中のアドレス情報のアドレスが自己のアドレスと合致した表示器のみが、自己のメモリ性表示部へ表示信号を送るようにするとよい。
さらに、上記マットを、複数の棚段を有する収納棚における各棚段にそれぞれ配置し、その各棚段に収納される収納物の前面にそれぞれ上記表示器を配置するとよい。
【発明の効果】
【００１１】
この発明による表示システムは、構成が簡単で特別な設置スペースを必要としないので、既存の収納棚を利用して簡単に実施することができる。さらに、各被検索物に取り付ける表示器の表示部はメモリー性表示部なので、被検索物が取り出された後もその表示状態を維持する。そして、電力消費が極めて少ないから電源として電池を内蔵する必要がなくなり、駆動用の電力はマット用アンテナより電磁誘導によって表示器用アンテナを介して供給することができる。そうすれば、電池交換などのメンテナンス作業が不要になり、また、電池不要の為、薄型化ができる。さらに、回路部分をＩＣにすることによって表示器をカード化することも可能になる。
【発明を実施するための最良の形態】
【００１２】
以下、この発明を実施するための最良の形態を図面に基づいて具体的に説明する。
この発明による表示システムの一実施例を図１から図９によって説明する。図１はその表示システムの一実施例の概略構成を送受信ユニットのブロック図と共に示す斜視図である。図２はその表示器の構成を示すブロック構成図である。
この表示システムはマット１と表示器２によって構成されている。マット１は樹脂等による絶縁性のシートで形成され、設置する棚に合わせて、縦２００〜５００ｍｍ×横６００〜１８００ｍｍ×厚さ５〜１０ｍｍで、内部にマット用アンテナ１０を備えている。
【００１３】
表示器２は、内部に表示器用アンテナ２０を備え、外部から見えるようにメモリ性表示部２１を備えている。その表示器２は厚さ２〜３ｍｍでカードサイズに形成され、マット１に対して垂直方向に配置される。そして、マット用アンテナ１０と表示器用アンテナ２０との間で通信することができる。
マット用アンテナ１０は、図３に示すように、マット１の内部で平面状に配置されたコイルであり、そのコイルに矢印で示す方向に電流を流すと、図４に示すようにマット１の平面に対して垂直方向の面内に破線で磁力線を示すように磁界を発生する。このような磁界分布は、図３に概ねＡで示す範囲で生じる。
【００１４】
一方、表示器用アンテナ２０も、図２に示すようにその表示器２の内部に平面状に配置されたコイルである。図２ではわかり易くするために実線で示しているが、実際にはカード状の表示器２の内部に銅やカーボンなどの導電パターンで形成されている。そのコイルによる表示器用アンテナ２０が、図４に示すようにマット１に対して垂直方向の面内に発生した磁界内の一点鎖線で囲んだ領域Ｂ内に垂直に配置されるようにする。マット１の両短辺付近のコイルの周囲にも磁界は発生するが、それは使用しない。
マット用アンテナ１０と表示器用アンテナ２０とをこのように配置することによって、両アンテナ間で効率よく信号を通信することができる。また、マット１から表示器２へアンテナ間の電磁誘導によって電力を送ることもできる。
【００１５】
その通信のために、マット１側に送信ユニット３を設けている。この送信ユニット３は、図１に示すように収納棚５の端の棚板５１上にファイル６と同様に立てられるように、扁平な直方体のケース３０を有し、その前面にパイロットランプ３１を設けている。ケース３０の内部には、電源回路３３、及び送信回路３６が設けられている。送信回路３６は、パーソナルコンピュータ８とケーブル１８により有線で接続されている。
【００１６】
電源回路３３は、商用電源からプラグ及び電源コードを介してＡＣ１００Ｖを給電され、それを降圧、整流、平滑などして所定の直流電圧に変換して、図１に破線で示す給電ライン３９を介して送信回路３６に給電する。この電源回路３３が動作しているときにはパイロットランプ３１を点灯してそれを表示する。
【００１７】
送信回路３６は発振回路及び変調回路等を備え、パ−ソナルコンピュータ８から、アドレス情報を含む検索開始信号が送信回路３６に入力されると、例えば発振回路で発振した一定振幅の１００〜２００ＫＨｚ程度の高周波信号を、アドレス情報に応じて周波数変調（ＦＭ変調）して、図８に示すような２値信号によるアドレス情報を含む信号をマット用アンテナ１０に図３に示す端子１１，１２を通して送信する。それによって、マット用アンテナ１０であるコイルに、矢印方向及びその反対方向に交互に高周波電流が流れ、図４に示した磁界が発生する。
【００１８】
一方、表示器２は図２に示すように、その内部に整流回路２２、受信回路２３、コンパレータ２４、アドレススイッチ２５、及び表示部駆動回路２６が設けられている。
整流回路２２と受信回路２３は表示器用アンテナ２０の両端子に接続されている。そして、整流回路２２は、マット用アンテナ１０の発生磁界によって表示器用アンテナ２０に電磁誘導によって発生される高周波電流を整流及び平滑して、所用電圧の電力を生成し、それを図２に破線で示す給電ライン２７を通して各部に給電する。したがって、この表示器２には電池を設ける必要がない。
【００１９】
受信回路２３は、マット用アンテナ１０から受信した信号を復調して２値の信号によるアドレス情報を検出し、それをコンパレータ２４へ送る。コンパレータ２４はそのアドレス情報のアドレスを、デイップスイッチ等で構成されたアドレススイッチ２５で設定された自己のアドレスと比較して、それが合致したときにのみ表示部駆動回路２６に表示信号を送る。それによって、表示部駆動回路２６が動作してメモリ性表示部２１に所定の電圧を印加して、その表示状態を変化させる。例えば白色表示状態から黒色表示状態に変化させる。メモリ性表示部２１が変化した後の表示例を図９に示す。単純な四角や丸の形状でもかまわないが、メモリ性表示部２１の電極パターン２１６を、あらかじめ”検索中”とパターンニングしておく事で、この”検索中”の文字を表示したり、消す事ができる。
【００２０】
メモリ性表示部２１は、電圧が印加されたときにその印加極性に応じて表示状態が変化し、その後電圧が印加されなくなっても、その表示状態を保持する。
このメモリ性表示部２１として、電気泳動表示素子を用いた表示部材を使用することができる。これは例えば、特開２０００−６６２４９号公報や特開２００５−１５６７５９号公報等に開示されているように公知の電気泳動表示装置を応用したものである。
【００２１】
図５はこの電気泳動表示素子を用いた表示部材であるディスプレイモジュールの模式的な断面図であり、図６はその電気泳動表示素子の拡大説明図である。
図５に示すディスプレイモジュール２１０は、透明な樹脂基材２１１の裏面全体にＩＴＯ（酸化インジューム錫）膜による透明電極２１２を形成し、その上に電子インクとも称されるマイクロカプセル表示層２１３を形成してフィルム状にしている。そのフィルムを表面に画素毎の電極パターン２１６が形成されたプリント基板２１５上に接着剤層２１４によって接着して構成されている。
【００２２】
マイクロカプセル表示層２１３は、バインダや界面活性剤、増粘剤、純水等の混合体中に直径が数十μｍ程度の微小なマイクロカプセル２２０が多数分散している。そのマイクロカプセル２２０は、図６に示すように、透明なメタクリル樹脂等からなるカプセル殻２２１の内部に、酸化チタン等からなる白色粒子２２３とカーボンブラック等からなる黒色粒子２２４が、シリコーンオイル等の粘性の高い透明な分散媒２２２に分散された状態で封入されている。そして、白色粒子２２３は正に帯電され、黒色粒子２２４は負に帯電されている。
【００２３】
そこで、このマイクロカプセル表示層２１３を挟むように配置された電極のうち、一方の全面一体の透明電極２１２を接地し、他方のプリント基板２１５上の電極パターン２１６に正電圧を印加した部分では、マイクロカプセル２２０内の正に帯電した白色粒子２２３が透明電極２１２側へ、負に帯電した黒色粒子２２４は電極パターン２１６側へ移動するので、視認側（図６の上方）から見ると白く見える。一方、電極パターン２１６に負電圧を印加した部分では、マイクロカプセル２２０内の負に帯電した黒色粒子２２４が透明電極２１２側へ、正に帯電した白色粒子２２３は電極パターン２１６側へ移動するので、視認側から見ると黒く見える。
【００２４】
図６における中央のマイクロカプセル２２０のように、正電圧が印加された電極パターンと負電圧が印加された電極パターンとに跨った位置のマイクロカプセル２２０内では、白色粒子２２３の一部は透明電極２１２側へ、残りは電極パターン２１６側へ移動し、黒色粒子２２４の一部は電極パターン２１６側へ移動し、残りは透明電極２１２側へ移動するので、マイクロカプセルの直径よりも、細かい表示も可能である。
【００２５】
また、印加電圧や、印加時間を調整することによって、黒色粒子２２４と白色粒子２２３を中間で混合した状態で保持する事で、灰色等の中間調表示も可能である。
したがって、透明電極２１２と電極パターン２１６との間に印加する電圧の極性によって、白又は黒、あるいは灰色に表示状態を変化させることができる。このとき白色粒子２２３と黒色粒子２２４は分散媒２２２中を電気泳動によって移動するが、分散媒２２２の粘度が高いので、電圧を印加して表示状態を変化させた後、その電圧の印加を停止してもその表示状態を保持するメモリー性効果を持つ。
【００２６】
そのため、この電気泳動表示素子は、ＬＥＤ発光素子に比べては勿論、通常の液晶表示器と比べても駆動電圧の印加時間が表示を変化させる時だけで済むので短時間であり、電力消費量が極くわずかですむ。特に、この発明における表示器２のメモリ性表示部２１は、被検索物の検索時に一度表示状態を変化させると、その後その被検索物が返却された時に表示状態を元に戻すまで変化させる必要がないので、このディスプレイモジュール２１０は最適である。つまり、非常に大きな電力を必用とする送信回路３６は、数秒間だけ動作させるだけで、充分である。
【００２７】
このディスプレイモジュール２１０のプリント基板２１５に代えて、絶縁板上に多数の画素電極とその各画素電極毎に通電をスイッチングする薄膜トランジスタを形成したＴＦＴ背面板を用いてもよい。マイクロカプセル２２０内の黒色粒子２２４を赤色粒子や青色粒子、緑色粒子などに変えることによって、赤色、青色、緑色などの表示状態にすることもできる。また、メモリ性表示部２１の表示状態を、図９に示した様な単一表示だけであれば、電極パターン２１６も全面一体の電極でよいので、構成がより簡単で安価になる。
【００２８】
このディスプレイモジュール２１０は、上述のように超低消費電力であるばかりか、見易さの面でも、白表示が高反射率で紙の白に近く、２色表示する場合のコントラストが高く、視野角が極めて大きく（１８０°に近い）、フリッカがないなどの利点がある。さらに形状的にも、薄くて軽く、フレキシブルで割れないなどの特徴がある。
なお、メモリ性表示部２１には、このほかに強誘電性液晶やコレステリック液晶を用いたメモリ性液晶パネルなども同様に使用できる。また、帯電した白と黒の粒子を、隔壁を設けた２枚の基板の間に液体無しで封入した電子粉流体素子も使用できる。また、エレクトロクロッミク素子も使用できる。
【００２９】
上述した表示システムを使用するには、図１に示す収納棚５の棚板５１上の略全面に、マット１を広げて両面テープなどで固定する。そして、このマット１内のマット用アンテナ１０と接続する送信ユニット３を棚板５１上の一端部付近に立てて載置し、プラグ３７を商用電源のコンセントに差し込む。
収納棚５に収納する収納物（被検索物）である各ファイル６の前面、すなわち背表紙の外側に、それぞれ、表示器２を貼り付けるか、タイトル紙を挿入する透明なカバー部に挿入して保持させる。その各ファイル６を所定の棚段のマット１上に立てて収納する。各表示器２のメモリ性表示部２１の表示状態は初期状態では全て全面白の表示状態にしておく。
【００３０】
通常は収納棚５には複数の棚段が設けられているので、その各棚板５１上にマット１を敷いて固定し、その各マットを送信ユニット３の送信回路３６の端子に並列に接続する。そして、その各棚段のマット１上にファイル６を収納する。したがって、送信ユニット３は１台の収納棚５に１個あればよい。
各表示器２の図２に示すアドレススイッチ２５には、予めそれを取り付けるファイルの固有のアドレスを設定させている。
【００３１】
収納棚５に収納されているファイルのいずれかを検索する際には、送信ユニット３に給電されていることをパイロットランプの点灯によって確認し、パーソナルコンピュータ８へ検索したい書籍名や書籍番号等を入力すると、その書籍名と関連付けたアドレス情報を送信ユニット３へ送る。すると、送信ユニット３は、送信回路３６にそのアドレス情報を含む信号を数秒間だけ送信させる。
【００３２】
それによって、各棚板５１上に載置されたマット１内のマット用アンテナ１０であるコイルに、前述したように高周波電流が流れ、図４に示した磁界が発生する。
すると、そのマット１上に収納されている各ファイル６に取り付けられている表示器２の表示器用アンテナ２０がそれを受信するとともに、電磁誘導によって交流電流を誘起し、図２に示す整流回路２２が前述したように所用電圧の電力を生成するので、表示器２内の各部が動作状態になる。
【００３３】
そして、受信回路２３が受信した信号を復調してアドレス情報を検出し、コンパレータ２４はそのアドレス情報のアドレスがアドレススイッチ２５で設定してある自己のアドレスと合致した場合にのみ表示部駆動回路２６に表示信号を送る。それによって、表示部駆動回路２６がメモリ性表示部２１に所定の極性の電圧を印加して、メモリ性表示部２１を黒の表示状態にする。
【００３４】
なお、受信したアドレス情報のアドレスと自己のアドレスとが合致しない表示器２は、何もしない。したがって、メモリ性表示部２１の表示状態は全面白表示のままである。
このときの表示状態は、例えば図７に示すようになり、右から５番目のファイル６に取り付けられた表示器２のメモリ性表示部２１だけが黒の表示状態になっているので、利用者は、このファイル６が検索対象のものであることをすぐに認識できる。このファイル６を収納棚５から取り出した後も、メモリ性表示部２１は黒の表示状態のままになっている。
【００３５】
そのファイル６を収納棚５に戻すと、送信ユニット３が例えば非検索時に、アドレス情報に係わらず全ての表示器２にメモリ性表示部２１の表示状態を白の表示状態にするための信号を送信し、それによって全ての表示器２の表示部駆動回路２６がメモリ性表示部２１に白表示状態にする極性の電圧を短時間印加する。したがって、黒の表示状態のままになっていたメモリ性表示部２１も白の表示状態に戻る。
【００３６】
あるいは、利用者がファイル６を収納棚５に戻したときに、送信ユニット３に別途設けたリセットスイッチ（図示せず）を押せば、送信ユニット３が直ちに全ての表示器を白に戻す表示リセット信号を送信するようにし、返却されたファイル６のメモリ性表示部２１を白の表示状態にするようにしてもよい。
取り出したファイル６を収納棚５へ戻すときは、必ずしも元の位置に戻さなくても、アドレス情報によって検索するので次回の検索に支障はない。
【００３７】
また、上述の例では、検索されたファイルに取り付けられている表示器２のメモリ性表示部２１を黒の表示状態にするようにしたが、メモリ性表示部２１を赤色、緑色等の他の色彩を表示できるものにして、検索されたときに全面赤の表示状態などの目立つ色にして、より見付け易くすることもできる。あるいは、内部に大型のコンデンサを設け、電力を蓄えて、数十秒間、点滅表示させることで、より見付け易くすることもできる。
【００３８】
さらに、上述の例では、簡単にするため１つの収納棚で説明したが、複数の収納棚であっても、それぞれの収納棚に送信ユニットを１つずつ設置することで、同様な方法で検索が可能である。この場合、同時に全ての送信ユニットを動作させると大きな電力が一時的に必用となるので、数秒間隔で順番に送信ユニットを動作させる方が好ましい。
【００３９】
次に、この発明の他の実施例を図１０から図１４によって説明する。
図１０は、この発明による表示システムのパーソナルコンピュータを使用する実施例の概略構成を示す斜視図であり、図１１は図１０における送受信ユニット４の回路構成を示すブロック図で、図１３は図１０における表示器９の回路構成を示すブロック図である。これらの図において、上述した実施例の図１から図９と対応する部分には同一の符号を付してある。
この実施例が上述した実施例と異なるのは、収納棚が複数あり、その各収納棚５Ａ，５Ｂごとに１台の送受信ユニット４を設置し、その各送受信ユニット４がパーソナルコンピュータ８と無線通信できるようにし、さらに表示器９が送受信機能と持ち、送受信ユニット４との間で双方向通信が可能であり、また複雑な表示部駆動回路を持っており、数字や文字を表示できる点である。
【００４０】
収納棚５Ａ，５Ｂは、それぞれ６段の収納段を有しているがこれは何段であってもよい、収納棚の数も何個あってもよい。そして、その各棚板（最下段はベースをかねる）５１上の略全面にマット１を載置して固定する。そして、各収納棚５Ａ，５Ｂごとに各段のマット１内の図３に示したコイルによるマット用アンテナ１０を全て信号線４８で並列に接続して送受信ユニット４に接続する。図１０に示す例では各送受信ユニット４は、それぞれ収納棚５Ａ，５Ｂの最上段の右端部に設置されている。その各送受信ユニット４には、電源コード４９と送受信ユニット用アンテナ７が接続されている。
【００４１】
収納棚５Ａ，５Ｂの各棚段に収納されるファイルの前面（背表紙の外側）に取り付ける表示器９は、図１３に示すように、その内部に整流回路９２、送受信回路９３、ＣＰＵ等からなるマイクロコンピュータ（以下ＣＰＵ）と略称する）９４、アドレスメモリ９５、及び表示部駆動回路９６がＩＣ化されて設けられている。
整流回路９２と送受信回路９３は表示器用アンテナ９０の両端子に接続されている。そして、整流回路９２は、マット用アンテナ１０の発生磁界によって表示器用アンテナ９０に電磁誘導によって発生される高周波電流を整流及び平滑して、所用電圧の電力を生成し、それを図１３に破線で示す給電ライン９７を通して各部に給電する。したがって、この表示器９には電池を設ける必要がない。また、電気回路をＩＣ化したので、厚さを１ｍｍ以下のカード型にすることが可能である。
【００４２】
メモリー性表示部９１は、図２で説明した電気泳動表示素子を用いているが、電極パターンが細かく分かれており、数字や文字を表示する事ができる。あるいは、プリント基板に代えて、ＴＦＴ基板を用いることによって、グラフィック表示を行うことも可能である。
不揮発性メモリからなるアドレスメモリ９５は、事前に表示器９をＩＣカードライタ上に置いて、所望のアドレス情報を書き込んで置く。
【００４３】
図１０に示すパーソナルコンピュータ８は、内蔵のハードディスク等の不揮発性メモリに、ファイル名や書籍名とアドレス番号の相関情報を記憶している。そして、初期化作業として、全てのファイルを順次検索し、後述する表示器９からの応答信号を、送受信ユニット４のアドレス情報（収納棚番号）と一緒に受け取ることによって、その各収納棚毎に収納している各ファイルのアドレス情報を記憶している。これらのアドレス情報は、収納棚の追加や撤去、そこに収納するファイルの変更、追加あるいは廃棄などに応じて、定期的に全数検索を行う事によって変更することができる。
【００４４】
そして、ファイルを検索する際には、パーソナルコンピュータ８のキーボードから所望の書籍名やファイル番号を入力すると、その書籍名やファイル番号に対応するファイルのアドレス情報と表示したいデータを、例えば中心周波数２０ＭＨｚ程度の無線通信用信号としてパソコン用アンテナ８１から送信する。  また、送受信ユニット４からの応答信号を受信することによって、送信したアドレス情報等が指定した送受信ユニット４に確かに受信されたことや、検索できたことを確認したり、エラー信号を受信することによって、送信したアドレス情報を確認し、間違えていれば修正して正しいアドレス情報を含む信号を送信し直すようなこともできる。
【００４５】
送受信ユニット４は図１１に示すように構成されており、この送受信ユニット４の前面上部には、大きく明るく点灯する表示ランプ４１が設けられている。この送受信ユニット４の内部には、送受信回路４２，４６、マイクロコンピュータ（ＣＰＵ）４４、メモリ４５、及びランプ点灯回路４７が設けられている。
なお、この送受信ユニット４にも図１に示した送受信ユニット３の電源回路３３及びその給電ライン３９と同様な電源回路及びその給電ラインが設けられているが、図１１ではそれらの図示は省略している。
【００４６】
送受信回路４２は、送受信ユニット用アンテナ７を通してパーソナルコンピュータ８と無線通信するための回路であり、やはり発振回路、変調回路、復調回路等を備えている。メモリ４５は、少なくともこの送受信ユニット４が設置された収納棚のアドレス情報（収納棚番号）を記憶しており、さらにその収納棚に収納される全てのファイルのアドレス情報も記憶しているとよい。
【００４７】
ＣＰＵ４４は、送受信回路４２がパーソナルコンピュータ８から受信した信号に含まれるアドレス情報のうち、収納棚のアドレスとメモリ４５に記憶されている自己の収納棚のアドレスとを比較して、それが合致したときにのみ、パーソナルコンピュータ８から受信した信号に含まれるアドレス情報のファイルのアドレスを送受信回路４６に送出し、ここで前述の実施例の送信回路３６と同様に、そのアドレス情報を示す２値信号で周波数変調した信号を生成してマット用アンテナ１０に送出する。
【００４８】
この場合も、図８に示すように正弦波の発振信号をＦＳＫにより２値信号で変調するが、中心周波数が例えば１００〜２００ＫＨｚ程度の有線通信用信号とする。マット用アンテナ１０と表示器用アンテナ９０との間で送受信する信号のデータフォーマットの一例を図１２に示す。この図において、「ＡＭ」はアドレスマークの特殊パターンで、以後にアドレスが続くことを示す。「アドレス」は送受信するファイルタグのアドレスを示し、ここに収納棚及び検索対象のファイルのアドレス情報がある。「ＤＭ」はデータマークの特殊パターンで、以後にデータが続くことを示す。「データ」は送受信データであり、必要に応じて使用される。
【００４９】
図１３に示す表示器９に設けた送受信回路９３は、マット用アンテナ１０から受信した信号を復調して２値の信号によるアドレス情報を検出し、それをＣＰＵ９４へ送る。ＣＰＵ９４はそのアドレス情報のアドレスを、不揮発性メモリであるアドレスメモリ９５に格納されている自己のアドレスと比較して、それが合致したときにのみ表示部駆動回路９６に表示信号を送る。それによって、表示部駆動回路２６が動作してメモリ性表示部９１に所定の電圧を印加して、その表示状態を変化させる。このときＣＰＵ９４が自己のアドレス情報を含む応答信号を発生し、送受信回路９３がそれをＦＭ変調信号に変換してマット用アンテナ１０へ送信する。
【００５０】
表示器９からの応答信号を受け取った送受信ユニット４は、表示ランプ４１を点灯し、検索したいファイルがこの収納棚にある事を示すともに、検索ファイルが見つかった情報を送受信回路４２からパーソナルコンピュータ８へ送り、パーソナルコンピュータ８の画面上で確認することができる。これにより、複数の収納棚５Ａ、５Ｂ等があっても、まず表示ランプ４１が点灯している収納棚を見つけることで、検索ファイルがさらに見つけやすくなる。
【００５１】
各ファイル６に取り付けられた表示器９は、数字表示が可能であるので、表示器９が受信したアドレス情報のアドレスが自己のアドレスと合致した場合にのみ、メモリ性表示部９１の表示状態を白表示から黒表示にし、さらに、ファイル番号や収納棚番号を表示させることが可能である。その表示例を図１４に示す。図１４において、ＸＸＸが収納棚番号であり、○○○○がファイル番号である。あるいは、その他必用な情報を、データ信号として表示器９へ送り、メモリ性表示部９１に、表示させることもできる。例えば、「コピー禁止」とか「返却期限：○月○日」などの表示をしておくこともできる。
【００５２】
図１０に示す例では、収納棚５Ｂの上から３段目の棚段の右から３番目のファイル６が検索され、それに取り付けられている表示器９のメモリ性表示部９１が黒の表示状態に変化している。また、収納棚５Ｂに設置されている送受信ユニット４の表示ランプ４１が点灯しているので、検索しているファイルの位置が容易に判る。
【００５３】
ファイル６を収納棚に戻した後にその表示器９のメモリ性表示部９１の表示状態を全面白の表示状態に戻す方法は、前述した実施例と同様である。
以上、この発明による表示システムをファイルの検索に使用する場合の実施例について説明してきたが、これに限るものではなく、ＲＦ−ＩＤを用いた表示付きＩＣタグや、電子棚札システム、表示付きＩＣカードとの通信への応用も可能である。
【産業上の利用可能性】
【００５４】
この発明による表示システムは、平面上に多数立設配置された部材中の所要の部材を表示するのに適しており、特に複数の棚段を有する収納棚の各棚段に収納される同一あるいは類似形状の多数の収納物、例えば病院などの医療用カルテ、図書館や書店の書籍、レンタルあるいは販売用のビデオテープやＤＶＤ、資料室などに保管された各種の資料、倉庫に保管された各種の商品や部品などから必要なものを能率よく見つけ出すためなどに、広範に利用できる。
【００５５】
そして、この表示システムは、構成が簡単で特別な設置スペースを必要としないので、既存の収納棚を利用して簡単に実施することができる。そして、各被検索物に取り付ける表示器の表示部はメモリー性表示部なので、被検索物が取り出された後もその表示状態を維持するから、禁止事項や返却期限などを表示しておくことができる。また、電力消費が極めて少ないから電源として電池を内蔵する必要がなくなり、駆動用の電力はマット用アンテナより電磁誘導によって供給することができる。それによって、電池交換などのメンテナンス作業が不要になる。さらに、回路部分をＩＣにすることによって表示器をカード化することも可能になる。
【図面の簡単な説明】
【００５６】
【図１】この発明による表示システムの一実施例の概略構成を送受信ユニットのブロック図と共に示す斜視図である。
【図２】図１における表示器の構成を示すブロック構成図である。
【図３】図１におけるマットの内部に設けられたマット用アンテナの一例を示す平面図である。
【図４】図３のＸ−Ｘ線に沿う模式的な断面をその磁界分布と共に示す図である。
【００５７】
【図５】図２におけるメモリ性表示部として使用される電気泳動表示素子を用いたディスプレイモジュールの模式的な断面図である。
【図６】その電気泳動表示素子の拡大説明図である。
【図７】図１に示した表示システムによるファイル検索中の例を示す収納棚の一部の正面図である。
【図８】この発明による表示システムにおける通信に使用するＦＭ変調されたデジタル信号の例を示す波形図である。
【図９】メモリ性表示部２１による表示例を示す図である。
【００５８】
【図１０】この発明による表示システムのパーソナルコンピュータを使用する実施例の概略構成を示す斜視図である。
【図１１】図１０における送受信ユニットの回路構成を示すブロック図である。
【図１２】この発明による表示システムにおけるマイクロコンピュータと送受信ユニットとの間で送受信する信号のデータフォーマットの一例を示す図である。
【図１３】図１０における表示器の構成を示すブロック構成図である。
【図１４】メモリ性表示部９１による表示例を示す図である。
【符号の説明】
【００５９】
１：マット      ２，９：表示器      ３：送信ユニット  ４：送受信ユニット      
５，５Ａ，５Ｂ：収納棚      ６：ファイル（収納物、被検索物）
７：送受信ユニット用アンテナ      ８：パーソナルコンピュータ
１０：マット用アンテナ      １８：ケーブル      ２０：表示器用アンテナ
２１：メモリ性表示部      ２２：整流回路      ２３：受信回路
２４：コンパレータ      ２５：アドレススイッチ      ２６：表示部駆動回路
２７：給電ライン      ３０：ケース      ３１：パイロットランプ    ３３：電源回路
３６：送信回路      ３７：プラグ      ３８：電源コード      ３９：給電ライン
【００６０】
４１：表示ランプ      ４２：送受信回路      ４４：マイクロコンピュータ（ＣＰＵ）
４５：メモリ      ４６：送受信回路        ４７：ランプ点灯回路
４８：信号線      ４９：電源コード      ５１：棚板
８１：パソコン用アンテナ      ９０：表示器用アンテナ      ９１：メモリ性表示部
９２：整流回路      ９３：送受信回路      ９４：マイクロコンピュータ（ＣＰＵ）
９５：アドレスメモリ      ９６：表示部駆動回路      ９７：給電ライン
２１１：樹脂基材      ２１２：透明電極      ２１３：マイクロカプセル表示層
２１４：接着剤層      ２１５：プリント基板      ２１６：電極パターン
２２０：マイクロカプセル      ２２１：カプセル殻      ２２２：分散媒
２２３：白色粒子      ２２４：黒色粒子 
【図１】
2007047512.tif 000003
【図２】
2007047512.tif 000004
【図３】
2007047512.tif 000005
【図４】
2007047512.tif 000006
【図５】
2007047512.tif 000007
【図６】
2007047512.tif 000008
【図７】
2007047512.tif 000009
【図８】
2007047512.tif 000010
【図９】
2007047512.tif 000011
【図１０】
2007047512.tif 000012
【図１１】
2007047512.tif 000013
【図１２】
2007047512.tif 000014
【図１３】
2007047512.tif 000015
【図１４】
2007047512.tif 000016